(57)【要約】      （修正有）【課題】雨天時や寒い時にゴルフクラブのグリップを温めて、手又は手にはめたグローブ及びゴルフクラブ自体の濡れを吸水でき、ゴルフバッグを安定に地面に置くことの出来るコースで使用するゴルフバッグを提供する。【解決手段】ゴルフバッグＡが表袋1と、表袋１に内挿されて開口部２の内周縁で接合される内袋１６とから成る。表袋１は防水性素材で成形され、周面には収納突出自在な手挿入部１１が配設され、手挿入部１１の突端の開閉自在な挿入口１２を水切り部１５を介して内袋１６の内部に連通し、周面頂部に傘取付用フック５を設け、開口部２に中心から放射状に切れ目を入れた防水蓋３で被蓋する。内袋１６は外面の防水性素材と内面の吸水性素材の二重構造で、該開口端近傍の周面には底部に向けて所要長さの連通口２１を開口し、上部近傍の周面には周縁に沿って開口する収納口８を開閉出来る小物入れ袋６を設ける。【選択図】図１
2006061462.tif 000002
【特許請求の範囲】
【請求項１】
筒体の底部に開口部を有するゴルフバッグ本体において、周面頂部に傘取付用フックを設けて成るゴルフバッグ。
【請求項２】
ゴルフバッグ本体の周面に、周面に設けた係合具により開閉される収納口を介して収納突出自在に手挿入部をゴルフバッグ本体の内部に連通して設け、周面頂部に傘取付用フックを設けて成り、手挿入部を引き出し突出し手挿入部とゴルフバッグ本体の内部とが連通することを特徴としたゴルフバッグ。
【請求項３】
筒体の底部に開口部を有するゴルフバッグ本体において、
ゴルフバッグ本体が表袋と、該表袋に内挿されて前記開口部の内周縁で係合具により接合される内袋とから成り、
表袋が防水素材により成形されるとともに、周面に係合具により開閉される収納口を介して収納突出自在な手挿入部を配設し、該手挿入部の突端の係合具による開閉自在な挿入口を水切り部を介して前記内袋の内部に連通し、周面頂部に傘取付用フックを設け、前記開口部にはその内周縁に係合具を設けるとともに、その開口面には中心から放射状に切れ目を入れた防水蓋を被蓋して成り、
内袋が外面の防水性素材と内面の吸水性素材による有底筒体の二重構造にして、開口端の外周縁に係合具を設け、該開口端近傍の周面には底部に向けて連通口を開口し、底部近傍の周面には周縁に沿って配設する収納口を係合具で開閉する小物入れ袋を配設して成るゴルフバッグ。
【請求項４】
筒体の底部に開口部を有するゴルフバッグ本体と、該開口部に表袋に内設される内袋の内周面の上方を連通して接合される手挿入部とから成り、該手挿入部の表袋は、その上下端において前記内袋に接合されるとともに、周面の一部に突出されて開閉自在な挿入口が開口され、下端には内袋の内周面の下方に連通する開閉自在な開口部が設けられ、前記ゴルフバッグ本体の周面頂部には傘取付用フックが設けられて成るゴルフバッグ。
【発明の詳細な説明】
【技術分野】
【０００１】
本発明は、スポーツの分野に属し、主としてゴルフコースで使用するゴルフバッグに関する。
【背景技術】
【０００２】
従来から提供されているゴルフバッグには、車輪やキャスターや伸縮自在のハンドルなどをつけて持ち運び易くしたもの、ゴルフクラブのヘッド相互が衝突しないようにしたもの、シューズケースやポーチ等を備えたものがあるが、雨や寒さ対策に関するものは少ない。その対策とみられるものに、特許文献1（特開平０７−１４４０３５号公報）や特許文献2（特開平１０−３０５１２２号公報）及び特許文献3(特開２００１−０９５９６３号公報)がある。
特許文献1はゴルフバッグに防水性カバーを被覆するものであるからその着脱が面倒であり、特許文献2における雨体策はその構造が複雑であり、特許文献3における雨対策はフードの着脱が面倒である。その上、各特許文献とも浸入した雨で濡れた内部の乾燥や洗濯の対策がなかった。
このほか、雨天時に使用される傘とゴルフバッグとの係合がないため、プレー時には地面に置かれる傘が風で飛ばされ易い上、ゴルフバッグも地面に転び易くなって雨曝しの状態となる問題点もあった。
【特許文献１】特開平０７−１４４０３５号公報
【特許文献２】特開平１０−３０５１２２号公報
【特許文献３】特開２００１−０９５９６３号公報
【発明の開示】
【発明が解決しようとする課題】
【０００３】
本発明は、雨天時や寒い時にゴルフクラブのグリップを暖めグリップをクラブ内で直接或は間接的に手に持つことができるようにし、雨で濡れた手をバッグ内の吸水布で拭いとり、内部のカバーを取り外し乾燥や洗濯ができるようにしたもの、および傘使用時に地面に置かれる傘にゴルフバッグが係合され、傘内に収められるゴルフバッグが安定的に定置されてグリップの濡れ防止が図られるゴルフバッグを提供しようとする。
【課題を解決するための手段】
【０００４】
本発明の請求項1に記載したゴルフバッグは、有底筒体の上部に開口部を有するゴルフバッグ本体において、周面頂部に傘取付用フックを設けて成る。
また、請求項2に記載したゴルフバッグは、ゴルフバッグ本体の周面に、周面に設けたファスナーにより開閉される収納口を介して収納突出自在に手挿入部をゴルフバッグ本体の内部に連通して設け、周面頂部に傘取付用フックを設けて成る。
また、請求項に記載したゴルフバッグは、有底筒体の上部に開口部を有するゴルフバッグ本体においてゴルフバッグ本体が表袋と、該表袋に内挿されて前記開口部の内周縁でファスナーにより接合される内袋とから成り、
表袋が防水性素材により成形されるとともに、特に周面にファスナーにより開閉される収納口を介して収納突出自在な手挿入部を配設し、該手挿入部の突端のファスナーによる開閉自在な挿入口を水切り部を介して前記内袋の内部に連通し、周面頂部に傘取付用フックを設け、前記開口部にはその内周縁にファスナーを設けるとともに、その開口面には中心から放射状に切れ目を入れた防水蓋を被蓋して成り、
内袋が外面の防水性素材と内面の吸水性素材による有底筒体の二重構造にして、開口端の外周縁にファスナーを設け、該開口端近傍の周面には底部に向けて連通口を開口し、底部近傍の周面には周縁に沿って開口する収納口をファスナーで開閉する小物入れ袋を配設して成る。
さらに、請求項4に記載したゴルフバッグは、有底筒体の上端に開口部を有するゴルフバッグ本体と、該開口部に表袋に内接される内袋の内周面の上方を連通して接合される手挿入部とから成り、該手挿入部の表袋は、その上下端において前記内袋に接合されるとともに、周面の一部に突出されて開閉自在な挿入口が開口され、下端には内袋の内周面の下方に連通する開閉自在な開口部が設けられ、前記ゴルフバッグ本体の周面頂部には傘取付用フックが設けられて成る。
【発明の効果】
【０００５】
本発明のゴルフバッグによれば、その頂部（底部）に設けたフックが一方の手で持つ開いた傘の骨に掛けられて開口部が下を向く姿勢で保持され、しかも、開口部の開口面は防水蓋で塞がれることで内部に雨が浸入し難く、また、他方の手が手挿入部から内袋の内部に挿入されてゴルフクラブのグリップを握ることができ、内袋の内部は小物入れ袋に収納された保温材により暖められるからグリップを握る手も温められ、その上、内袋はファスナーにより表袋から分離できるからその洗濯や乾燥も簡易となる。また、手挿入部のみに内袋を設けたゴルフバッグでは、その挿入口から挿入された手で直接又は手にはめたグローブで内袋とともにゴルフクラブをつかむことができるから、手やグローブ及びゴルフクラブのグリップやロッドなどの濡れが内袋で吸水され、雨水より保護される。さらに、手を挿入する挿入口及びゴルフクラブを挿入する開口部がボタンの係脱で開閉されるから、その開口状態が緊密に保持されてより雨水の浸入を防止できる。このほか、傘取付用フックを傘の骨に係着したときは、ゴルフバッグの重量により、風で飛ばされることなく、地面に置かれた傘の安定度が増してゴルフバッグも転ぶことがなく、雨曝しになることがない。
【発明を実施するための最良の形態】
【０００６】
本発明のゴルフバッグにおける内袋と表袋との接合、表袋での手挿入部を収納する収納口の開閉及び内袋における小物入れ袋の収納口の開閉に用いられる各ファスナーは、ジッパーや面状ファスナー、或はボタンの係脱によるものなどである。また、手挿入部の表袋の内部に設けられる内袋は、その上下端の周面を表袋の内周面に一体に接合するものから、ファスナーで接合するなどである。そして、雨天時や寒い時には内袋の小物入れ袋に保温材が収納される。また、表袋の開口部の開口面に被蓋される防水蓋はグリップの挿入に支障を来すことなく、かつ雨の浸入を極力阻止できるようにその中心から放射状に切れ目を入れたゴム製などの弾性柔軟材が使用される。なお、傘取付用フックに代えて傘の骨に間接的にゴルフバッグの頂部が係合されるように、係合孔のある係合体を設けてもよいし、該フックの開口向きが一定のものから鉛直軸を中心に360°回転自在に設けてもよい。
【実施例】
【０００７】
本発明のゴルフバッグＡの実施例を説明すると、図1に示すように、無底筒体で所要深さの表袋1は防水性素材で成形され、一端の開口部2にはその開口面に防水蓋3が被蓋され、その内周縁には適宜なファスナー4が周設され、他端の頂部には傘取付用フック5が設けられる。該頂部近傍の外面には図2にも示すように、小物入れ袋6がジッパー７で収納口8が開閉されて設けられ、開口部2の近傍の周面にはジッパー9で開閉される収納口10を介して収納突出自在な手挿入部11が配設される。手挿入部11は突端の挿入口12が面状ファスナー13で開閉自在に開口され、その内部に挿入口12よりやや下がった位置に連通口14を有する末広がり筒状の水切り部15が設けられ、挿入口12は連通口14を介して表袋１内の内袋16の内部に連通されて成る。したがって、挿入口12から浸入する雨は水切り部15で阻止される。表袋1の防水蓋3は図3に示すように、その開口面の中心から放射状に切れ目17が入ったゴム製柔軟材から成る。
一方、内袋16は図4に示すように、開口端の外周に表袋１のファスナー4と歯合するファスナー18が周設される。内袋16の構造は外面の防水性素材19と内面の吸水性素材20とによる有底筒体の二重構造から成り、開口端近傍より底部に向けて所要長さの連通口21を外面から内面へ貫設し、頂部近傍の外面には周縁に沿って開口した収納口22をジッパー23で開閉する保温用の小物入れ袋24が設けられ、雨天時や寒い時に保温材が収納される。
晴天時のプレーでは、図2に示すようにゴルフバッグＡは、表袋1の収納口10より手挿入部11及び水切り部15共に内面に押し込められ、ジッパー9で閉止されて使用することができる。
【０００８】
雨天時や寒い時でのプレーでは、図１に示すように収納口10が開口されて手挿入部11及び水切り部15が引き出され、手挿入部11の挿入口12が開口されて一方の手が挿入され、水切り部15の連通口14から内袋16の連通口21を通した手でグリップ25が握られ、内袋16の小物入れ袋24に収納された保温材によって内袋16の内部とともにその手も温められる。そして他方の手に持つ傘の骨に表袋1の頂部の傘取付用フック5を掛けると防水蓋3が下向きとなるから雨水の浸入が阻止される。防水蓋3の切れ目17はグリップ部分の内袋16への挿入時にグリップ部分に付着した水を取り除く。内袋16が濡れたり汚れた場合にはファスナー4、18により表袋１から分離して乾燥や洗濯ができる。
【０００９】
次に、ゴルフバッグＢの実施例を説明すると、図5、6に示すように、無底筒体の下端に開口部26を有するゴルフバッグ本体27と、開口部26と接合される手挿入部11とから成り、手挿入部11は図6に示すように、その皮革様素材の表袋28が内部に設けられる短尺な吸水性素材の内袋29の上下端の周面をその内周面に一体に縫合し、内袋29の内周面をゴルフバッグ本体27の内部に連通して上部開口端を前記開口部26に接合し、その接合部の外面に飾りボタン30が周設され、周面の一部に突出された突出部の突端にはボタン31の係脱で開閉自在な挿入口32が開口され、下部開口端にはボタン31の係脱で開閉自在な開口部33が設けられて成り、ゴルフバッグ本体27の周面頂部には傘取付用フック5が設けられて成る。
【００１０】
このゴルフバッグＢもゴルフコースで携帯されて使用される。雨天時のプレーではコース移動の際に傘の骨に傘取付用フック5が係着され、手挿入部11の下端の開口部33からゴルフバッグ本体27の内部に挿入されたゴルフクラブ（図外）のグリップ25又はロッドが、挿入口32から挿入された手で内袋29の外面から握られて保持される。
この場合も、ゴルフクラブを内袋29と一体でつかむことにより、ゴルフクラブとゴルフグローブの濡れを吸水するとともに、雨水より防護する。また、挿入口32及び開口部33には係脱自在なボタン31が設けられているため、両者での雨水の浸入が防止される。このほか、ゴルフバッグ本体27の頂部に設けた傘取付用フック5を傘の骨に係着したときは、ゴルフクラブを含むゴルフバッグの重量により、地面に置かれた傘の安定度が増し、傘内に収められたゴルフバッグが転ぶことがなく雨曝しになることがない。
【００１１】
さらに、ゴルフバッグＣの実施例を説明すると、このものは図7に示すように、無底筒体の下端を開口部26とし、その深さがゴルフクラブのグリップ25を収納するに足る寸法のゴルフバッグ本体27と、その周面頂部に一体（或は取付け部で360°回転自在）に設けられた傘取付用フック5とから成る。
【００１２】
このようにシンプルなゴルフバッグＣは、雨天時のゴルフコースにおいて、コース移動の際に一方の手に持つ傘34の傘の骨35にゴルフバッグＣが傘取付用フック5で係合され、他方の手にゴルフバッグＣのゴルフバッグ本体27にそのグリップ25が収納されたゴルフクラブのロッドが握られ、グリップ25が雨で濡れないようにされている。
そして、プレー時には図8に示すように傘34が地面に置かれ、ゴルフバッグ本体27の傘取付用フック5が傘の骨35に係合されているから、ゴルフクラブのヘッドが地面に接地した状態で傘34の姿勢が安定し、ゴルフクラブを含むゴルフバッグの重量で傘34を支持するから傘34は風で吹き飛ばされることなく、したがってゴルフバッグＣも転ぶことなく安定的に傘内に収められて雨曝しになることがない。
【産業上の利用可能性】
【００１３】
本発明のゴルフバッグは、雨天時や寒い時のプレーで、手やグリップを温めるとができるほか、雨天時で傘を使用する際に、傘と傘内のゴルフバッグとが一体となって傘を安定的に支持するとともに、ゴルフバッグが雨曝しになることなく、グリップ部分の濡れ防止が図られるから、新たな商品としてスポーツ業界に貢献できる。
【図面の簡単な説明】
【００１４】
【図１】本発明に係るゴルフバッグＡの正面図。
【図２】手挿入部11を表袋１に収納してジッパー9を閉じた状態の図1のＡ−Ａ矢視図。
【図３】図2のＢ−Ｂ矢視図。
【図４】内袋16の斜視図。
【図５】本発明に係るゴルフバッグＢの正面図。
【図６】手挿入部の表袋を縦断した説明図。
【図７】本発明に係るゴルフバッグＣのゴルフクラブのグリップ25を収納した状態の正面図。
【図８】地面に置かれた傘34とゴルフバッグＣとの係合状態を示す説明図。
【符号の説明】
【００１５】
１：表袋
２：開口部
３：防水蓋
４：ファスナー
５：傘取付用フック
６：小物入れ袋
７：ファスナー
８：収納口
９：ジッパー
１０：収納口
１１：手挿入部
１２：挿入口
１３：面状ファスナー
１４：連通口
１５：水切り部
１６：内袋
１７：切れ目
１８：ファスナー
１９：防水性素材
２０：吸水性素材
２１：連通口
２２：収納口
２３：ジッパー
２４：小物入れ袋
２５：グリップ
２６：開口部
２７：ゴルフバッグ本体
２８：表袋
２９：内袋
３０：飾りボタン
３１：ボタン
３２：挿入部
３３：開口部
３４：傘
３５：傘の骨
Ａ、Ｂ、Ｃ：ゴルフバッグ
【図１】
2006061462.tif 000003
【図２】
2006061462.tif 000004
【図３】
2006061462.tif 000005
【図４】
2006061462.tif 000006
【図５】
2006061462.tif 000007
【図６】
2006061462.tif 000008
【図７】
2006061462.tif 000009
【図８】
2006061462.tif 000010